(57)【要約】【課題】洗浄による吸気不良が生じない血圧計用送気球を提供する。【解決手段】手動式血圧計に用いられる、伸縮可能な中空の送気球（20）において、前記血圧計の本体（10）に接続される側を先端部（21）とし、前記先端部に、送気口（24）、吸気口（25）、前記吸気口からの吸気を止める吸気遮断材（50，70）、前記送気口からの送気の戻りを防止する逆流防止材（60）が配置され、前記送気口と前記吸気口は、同心円状に配置される。これにより、送気球の末端部（22）で生じる吸気不良を防止することができる。【選択図】図５
2020005935.tif 000002
【特許請求の範囲】
【請求項１】
手動式血圧計に用いられる、伸縮可能な中空の送気球において、
前記血圧計の本体に接続される側を先端部とし、
前記先端部に、送気口、吸気口、前記吸気口からの吸気を止める吸気遮断材、前記送気口からの送気の戻りを防止する逆流防止材が配置され、
前記送気口と前記吸気口は、同心円状に配置されたことを特徴とする血圧計用送気球。
【請求項２】
血圧計の本体に接続される側を先端とする、伸縮可能な中空の球と、
前記球の先端部に配置された送気口と、
前記球の先端部に配置され、前記送気口と同心円状に配置された吸気口と、
前記吸気口からの吸気を止める吸気遮断材と、
前記送気口からの送気の戻りを防止する逆流防止材と、を備えることを特徴とする血圧計用送気球。
【請求項３】
前記送気口が内周に、前記吸気口が外周に配置されたことを特徴とする請求項１または２に記載の血圧計用送気球。
【請求項４】
前記吸気遮断材は、前記吸気口に沿って環状に配置されたことを特徴とする請求項１〜３のいずれかに記載の血圧計用送気球。
【請求項５】
前記吸気遮断材は、硬質で面が面一のディスク、または、内部が軟質のパッキンであることを特徴とする請求項１〜４のいずれかに記載の血圧計用送気球。
【請求項６】
前記逆流防止材は、スリットを備えた中空の筒体であることを特徴とする請求項１〜５のいずれかに記載の血圧計用送気球。
【発明の詳細な説明】
【技術分野】
【０００１】
本発明は、手動式血圧計に用いられる血圧計用送気球に関する。
【背景技術】
【０００２】
手動式血圧計は、送気球を手動で伸縮させることによって空気袋を加圧し、空気袋で阻血して血圧を測定する。このタイプの血圧計に用いられる送気球は、両端が開口する中空のゴム球であり、血圧計本体と接続する側（先端部）の開口部が送気口、他方の側（末端部）の開口部が吸気口として機能する。末端部の吸気口には、吸気通路内に、逆止弁として機能する小球が内包されており、送気球を潰すと、小球が先端側に移動して、吸気通路が開いて吸気され、送気球が戻ると、小球が末端側に移動して、吸気通路が塞がり吸気が遮断される（例えば特許文献１参照）。この送気球を繰り返し伸縮させることで、圧縮空気が空気袋へ送気される。
【先行技術文献】
【特許文献】
【０００３】
【特許文献１】特開２０１５−１００５４５号公報
【発明の概要】
【発明が解決しようとする課題】
【０００４】
しかしながら、近年、血圧計の洗浄を重視する傾向となり、送気球の末端部を薬剤で拭き取ることとなった。その結果、末端部に配置されている小球が吸気通路に張り付き、吸気不良が起こるという問題が生じた。
【０００５】
本発明は、上記のような事情に鑑みてなされたものであり、洗浄による吸気不良を起こさない吸気および逆止弁機能を持つ構造を備えた血圧計用送気球を提供することを目的とする。
【課題を解決するための手段】
【０００６】
上記課題を解決するために、本発明のある態様の血圧計用送気球は、手動式血圧計に用いられる、伸縮可能な中空の送気球において、前記血圧計の本体に接続される側を先端部とし、前記先端部に、送気口、吸気口、前記吸気口からの吸気を止める吸気遮断材、前記送気口からの送気の戻りを防止する逆流防止材が配置され、前記送気口と前記吸気口は、同心円状に配置されたことを特徴とする。
【０００７】
本発明の別の態様の血圧計用送気球は、血圧計の本体に接続される側を先端とする、伸縮可能な中空の球と、  前記球の先端部に配置された送気口と、前記球の先端部に配置され、前記送気口と同心円状に配置された吸気口と、前記吸気口からの吸気を止める吸気遮断材と、前記送気口からの送気の戻りを防止する逆流防止材と、を備えることを特徴とする。
【０００８】
上記態様において、前記送気口が内周に、前記吸気口が外周に配置されるのも好ましい。
【０００９】
上記態様において、前記吸気遮断材は、前記吸気口に沿って環状に配置されるのも好ましい。
【００１０】
上記態様において、前記吸気遮断材は、硬質で面が面一のディスク、または、内部が軟質のパッキンであるのも好ましい。
【００１１】
上記態様において、前記逆流防止材は、スリットを備えた中空の筒体であるのも好ましい。
【発明の効果】
【００１２】
本発明の血圧計用送気球によれば、洗浄による吸気不良が生じるのを防止することができる。
【図面の簡単な説明】
【００１３】
【図１】本発明の実施の形態に係る送気球を使用した手動式血圧計の全体図である。
【図２】第１の実施形態に係る送気球の斜視図である。
【図３】同形態に係る送気球の上面図である。
【図４】同形態に係る送気球の要部の分解斜視図である。
【図５】同形態に係る送気球の要部の縦断面図（図３の線Ｖ−Ｖに沿う断面図）である。
【図６】第２の実施形態に係る送気球の斜視図である。
【図７】同形態に係る送気球の上面図である。
【図８】同形態に係る送気球の要部の分解斜視図である。
【図９】同形態に係る送気球の要部の縦断面図（図７の線Ｖ−Ｖに沿う断面図）である。
【発明を実施するための形態】
【００１４】
（血圧計の全体構成）
【００１５】
図１に示すように、手動式血圧計は、主に、カフ１１と、制御部１２と、送気球２０と、カフ１１・制御部１２間及び制御部１２・送気球２０間をつなぐエアホース１３と、送気球２０とエアホース１３との間に介在された排気弁１４と、を備えている。制御部１２およびカフ１１を血圧計本体１０とする。
【００１６】
測定の際には、被測定部にカフ１１を巻きつけ装着し、制御部１２の指示に従って送気球２０を手動で伸縮させる。これにより、圧縮空気がカフ１１内の空気袋（図示せず）へ送気され、空気袋が膨張し、被測定部が阻血される。一方、排気弁１４を緩めることで、排気弁１４から徐々に排気がなされ、阻血状態が解除される。カフ１１内には圧力センサ（図示せず）が設置されており、この圧力センサによって、カフ圧信号や生体の脈波信号が検出される。制御部１２は、上記信号から血圧値および脈拍数を換算し、表示する。
【００１７】
（送気球の構成）
（第１の実施形態：ディスクタイプ）
図２〜図５は、第１の実施形態に係る送気球２０に関する。
【００１８】
送気球２０は、カフ１１内の空気袋に送気する加圧手段である。図２に示すように、送気球２０は、手による押圧操作によって伸縮可能な中空の楕円球であり、例えばゴム等の弾性素材からなる。血圧計本体１０と接続する側が送気球２０の先端部２１で、他方の側が末端部２２となる。送気球２０は、先端部２１に開口部２３を有する（図４）。末端部２２には、開口部はなく、何の部品も備え付られていない（図２）。以降、先端部２１周辺を送気球２０の要部とする。
【００１９】
図３〜図５を用いて、送気球２０の要部について説明する。図４に示すように、送気球２０の先端部２１には、上ケース３０と、下ケース４０と、ディスク５０と、スリットバルブ６０が備え付けられている。送気球２０における先端と末端の方向は、これらの部材にも適用する。
【００２０】
上ケース３０は、図４に示すように、第１円筒部３１と、第２円筒部３２を有する。上ケース３０は、例えば、アクリロニトリル−ブタジエン−スチレン共重合体（ＡＢＳ），ポリプロピレン（ＰＰ），ポリアセタール（ＰＰ），ナイロン，ポリカーボネート（ＰＣ）などの樹脂で形成される。第１円筒部３１と第２円筒部３２は、好ましくは一体成形により形成される。
【００２１】
第１円筒部３１は、中空の円筒で、後述する下ケース４０に挿入される柱部３３と、該柱部３３の先端側に筒部３４を有する（図４）。筒部３４は、エアホース１３に挿入される。筒部３４の開口部は、送気口２４として機能する（図５）。柱部３３の中は、送気通路３５として機能する（図５）。
【００２２】
第２円筒部３２は、第１円筒部３１よりも短い中空の円筒で、末端側が開口している。第２円筒部３２は、第１円筒部３１の筒部３４の根元の外周に環状に配置されている。
【００２３】
第２円筒部３２の先端部３６には、周方向に、孔３９が複数設けられている（図４）。孔３９は、吸気口２５として機能する（図５）。本形態では、吸気口２５は、周方向に９０度ずつ離間して、四カ所に、環状に配置されている。但し、吸気口２５の数および間隔は、この形態に限定されない。なお、それぞれの孔３９は、吸気効果が十分に得られるように、好ましくは周方向に４５度以上の領域に亘って、より好ましくは６０度以上の領域に亘って、形成される。
【００２４】
第２円筒部３２の末端部３７（図５）は、後述する下ケース４０と凹凸係合する。第２円筒部の末端部３７には、凹凸係合の際の位置決めとなる第１段部３８が形成されている（図５）。
【００２５】
下ケース４０は、図４に示すように、送気球２０の開口部２３に挿通される挿通部４１と、該挿通部４１の先端に蓋部４２を有する。下ケース４０は、上ケース３０と同等の樹脂で形成される。挿通部４１は、第１円筒部３１の柱部３３よりもやや大きい半径の中空の円筒である。挿通部４１の末端部には、半径方向に肉厚に形成された、送気球２０に対する抜け止め部４３が形成されている（図５）。蓋部４２は、挿通部４１からフランジ状に半径方向に延出し、末端側の面が送気球２０の先端部２１と気密に当接する。蓋部４２の先端側の面には、第１円筒部の末端部３７に形成された第１段部３８と係合する第２段部４４が形成されている（図５）。
【００２６】
図５に示すように、上ケース３０と下ケース４０を組み付けると、第１段部３８および第２段部４４により半径方向に位置決めされて、上ケース３０の柱部３３の外周部と下ケース４０の挿通部４１の内周部との間に、周方向に亘って隙間が生じ、吸気通路４５が環状に形成される。
【００２７】
ディスク５０は、図４に示すように、リング状で、上ケース３０と下ケース４０の間に配置され、上ケース３０の柱部３３の外周部に挿通させて組み付けられ、吸気口２５に沿って環状に配置されえる。ディスク５０は、上ケース３０と下ケース４０の間の空間を移動し、吸気遮断材として機能する（図５）。ディスク５０の先端側の面５１は、第２円筒部の先端部３６の末端側の面に当接する。ディスク５０の末端側の面５２は、下ケース４０の蓋部４２の先端側の面に当接する。ディスク５０は、当接する際の気密性を上げるために、部材歪みの生じにくい金属や硬質の樹脂（ＡＢＳ，ＰＰ，ＰＰ，ナイロン，ＰＣ）で形成されるのが好ましく、さらに、ディスク５０の先端側の面５１および末端側の面５２は、面一に形成されるのが好ましい。
【００２８】
スリットバルブ６０は、中空の筒体で、上ケース３０と下ケース４０の間に配置され、上ケース３０の柱部３３の中、即ち送気通路３５に挿通させて組み付けられる（図５）。スリットバルブ６０は、好ましくは天然ゴム、合成ゴム（ニトリルゴム、フッ素ゴム、ウレタンゴム、シリコーンゴム）などの軟質の樹脂で形成される。スリットバルブ６０には、周方向に１カ所、または数カ所に、空気の流れ方向となる長手方向に亘ってスリット６１が入れられている（図４）。スリットバルブ６０は、送気口２４からの空気の戻りを防止する逆流防止材として機能する。スリットバルブ６０の末端部には、半径方向に肉厚に形成された、柱部３３に対するスリット抜け止め部６２（図４）が形成されている。
【００２９】
上述の上ケース３０、下ケース４０、ディスク５０、およびスリットバルブ６０を送気球２０に組み付けると、図３および図５に示すように、送気通路３５が内側、吸気通路４５が外側に配置され、送気口２４と吸気口２５が、送気球２０の先端部２１に同心円状に配置された、二重管構造が得られる。
【００３０】
以上の構成からなる送気球２０の動作について説明する。
【００３１】
（送気動作）
送気球２０を潰すと、送気球２０の内圧が上がり、吸気通路４５内のディスク５０が上ケース３０の方向に移動し（図５の実線の位置）、吸気口２５が遮断される。一方、送気通路３５内のスリットバルブ６０のスリット６１が開いて、送気球２０内の空気が送気通路３５を通り、送気口２４から送気される。
【００３２】
（吸気動作）
送気球２０が戻ると、送気球２０の内圧が下がり、負圧によって送気通路３５内のスリット６１が閉じて、送気通路３５が遮断される。一方、負圧によってディスク５０は下ケース４０の方向に移動し（図５の破線の位置）、吸気口２５が解放されて、吸気口２５から吸気される。
【００３３】
（第２の実施形態：パッキンタイプ）
図６〜図９は、第２の実施形態に係る送気球２０に関する。第１の実施形態と共通する要素については、同一の符号を用いて説明を割愛する。
【００３４】
図６に示すように、第２の実施形態に係る送気球２０の末端部２２にも、開口部はなく、何の部品も備え付られていない。図７〜図９を用いて、第２の実施形態に係る送気球２０の要部について説明する。図８に示すように、送気球２０の先端部２１には、上ケース３００と、下ケース４０と、スリットバルブ６０と、パッキン７０が備え付けられている。送気球２０における先端と末端の方向は、これらの部材にも適用する。
【００３５】
上ケース３００は、図８に示すように、第１円筒部３０１と、第２円筒部３０２を有する。上ケース３００は、上ケース３０と同等の樹脂で形成される。第１円筒部３０１と第２円筒部３０２は、好ましくは一体成形により形成される。
【００３６】
第１円筒部３０１は、中空の円筒で、下ケース４０に挿入される柱部３０３と、該柱部３０３の先端側に筒部３０４を有する（図８）。筒部３０４は、エアホース１３に挿入される。筒部３０４の開口部は、送気口２４として機能する（図９）。柱部３０３の中は、送気通路３５として機能する（図９）。筒部３０４と柱部３０３の間には、半径方向に延出する突状部３０５が環状に形成されている（図８）。
【００３７】
第２円筒部３０２は、第１円筒部３０１よりも短い円盤で、末端側が開口している。第２円筒部３０２は、第１円筒部３０１の突状部３０５の根元の外周に環状に配置されている。
【００３８】
第２円筒部３０２の先端部３０６には、周方向に、孔３０９が複数設けられている（図８）。孔３０９は、吸気口２５として機能する（図９）。本形態では、吸気口２５は、周方向に９０度ずつ離間して四カ所に、環状に配置され、それぞれのカ所に二個ずつ設けられている。但し、吸気口２５の数および間隔は、この形態に限定されない。第２円筒部の末端部３０７（図９）は、後述する下ケース４０の環状突起４０８と凹凸係合する。
【００３９】
下ケース４０は、第１の実施形態と同様であり、挿通部４１と、蓋部４２を有する。挿通部４１には抜け止め部４３が形成され、蓋部４２の末端側の面は送気球２０の先端部２１と気密に当接する。蓋部４２の先端側の面には、環状突起４０８が、面の半径方向中央部に形成されている（図８）。
【００４０】
図９に示すように、上ケース３０と下ケース４０を組み付けると、第２円筒部の末端部３０７と環状突起４０８が凹凸係合して、周方向に位置決めされて、上ケース３０の柱部３０３の外周部と下ケース４０の挿通部４１の内周部との間に、周方向に亘って隙間が生じ、吸気通路４５が環状に形成される。
【００４１】
パッキン７０は、図８に示すように、リング状で、外周部７１と、外周部７１の内部７２に、膜部７３を有する。膜部７３には、周方向に９０度ずつ離間して四カ所に切込みが入れられている。パッキン７０は、上ケース３００と下ケース４０の間に配置され、上ケース３００の柱部３０３の外周部に挿通させて組み付けられる。図９に示すように、パッキン７０は、膜部７３が吸気口２５と一致するように位置合わせされて配置され、外周部７１が第２円筒部の先端部３０６の末端側の面と環状突起４０８の面に挟持され、固定される。パッキン７０は、吸気遮断材として機能する。パッキン７０の内部７２、即ち膜部７３は、可撓性を上げるために、軟質の樹脂、例えば天然ゴム、合成ゴム（ニトリルゴム、フッ素ゴム、ウレタンゴム、シリコーンゴム）で形成されるのが好ましい。
【００４２】
スリットバルブ６０は、第１の実施形態と同様であり、スリット６１とスリット抜け止め部６２を有する（図９）。スリットバルブ６０は、送気通路３５に挿通させて組み付けられ（図９）、逆流防止材として機能する。
【００４３】
上述の上ケース３００、下ケース４０、パッキン７０、およびスリットバルブ６０を送気球２０の先端部２１に組み付けると、図７および図９に示すように、送気通路３５が内側、吸気通路４５が外側に配置され、送気口２４と吸気口２５が、送気球２０の先端部２１に同心円状に配置された、二重管構造が得られる。
【００４４】
以上の構成からなる送気球２０の動作について説明する。
【００４５】
（送気動作）
送気球２０を潰すと、送気球２０の内圧が上がり、吸気通路４５上のパッキン７０の膜部７３が閉塞し、吸気口２５が遮断される。一方、送気通路３５内のスリットバルブ６０のスリット６１が開いて、送気球２０内の空気が送気通路３５を通り、送気口２４から送気される。
【００４６】
（吸気動作）
送気球２０が戻ると、送気球２０の内圧が下がり、負圧によって送気通路３５内のスリット６１が閉じて、送気通路３５が遮断される。一方、負圧によってパッキン７０の膜部７３が引き込まれ、吸気口２５が解放され、生じた隙間から吸気される。
【００４７】
（送気球の作用効果）
以上、第１および第２の実施形態の送気球２０によれば、吸気および逆止弁の機能を持つ構造を、送気球２０の末端部２２ではなく、先端部２１に配置したことにより、洗浄による吸気不良の発生を防止することができる。
【００４８】
また、送気球２０の先端部２１に、送気口２４と吸気口２５を同心円状に配置したことによって、送気球２０に取り付ける部品点数を減少させることができ、かつコンパクトな構造を得ることができる。
【００４９】
また、送気口２４と吸気口２５を先端部２１にまとめ、末端部２２には何の部材も配置しないことで、送気球２０の形状の自由度を広げることができる。
【００５０】
以上、本発明の好ましい実施の形態を述べたが、本形態を当業者の知識に基づいて変形することが可能であり、そのような形態も本発明の範囲に含まれる。
【符号の説明】
【００５１】
１０…血圧計本体
２０…送気球
２１…先端部
２２…末端部
２３…開口部
２４…送気口
２５…吸気口
３５…送気通路
４５…吸気通路
５０…ディスク（吸気遮断材）
５１…ディスクの先端側の面
５２…ディスクの末端側の面
６０…スリットバルブ（逆流防止材）
６１…スリット
７０…パッキン（吸気遮断材）
７１…パッキンの外周部
７２…パッキンの内部  
【図１】
2020005935.tif 000003
【図２】
2020005935.tif 000004
【図３】
2020005935.tif 000005
【図４】
2020005935.tif 000006
【図５】
2020005935.tif 000007
【図６】
2020005935.tif 000008
【図７】
2020005935.tif 000009
【図８】
2020005935.tif 000010
【図９】
2020005935.tif 000011